(57)【要約】【課題】フラットパネルＸ線検出器を用い、内部バッテリから供給される電力によって駆動されるＸ線検査装置において、バッテリの重量、サイズを増大させることなくＸ線画像の撮影枚数を向上させるとともに、撮影効率、診断効率を向上させる。【解決手段】外部電力、あるいは内部バッテリから供給される電力によって駆動されるＸ線検査装置において、駆動電力が内部バッテリから供給されている場合には、画像補正処理のみを行い、外部から供給されている場合には画像補正後、診断用画像を作成するための画像処理を行って保存する。また、あらかじめ設定してあるバッテリ残り容量、撮影枚数によって画像補正処理のみ行うか画像処理を行うかを切り替える。【選択図】        図１
2004173906.tif 000002
【特許請求の範囲】
【請求項１】
画像記録媒体としてフラットパネルＸ線検出器を用いたＸ線検査装置において画像撮影時に画像補正処理とともに撮影画像を診断に供するための画像処理を行った画像を保存媒体に保存する手段と、画像補正処理のみを行った画像を保存媒体に保存する手段との切り替え手段を設け、該切り替え手段によって切り替えられた保存手段によって画像を保存することを特徴とするＸ線検査装置。
【請求項２】
請求項１記載の切り替え手段は外部電源から供給される電力、および内部電源から供給される電力によって駆動されるＸ線検査装置において、装置を駆動するための電力が外部電源から供給されているか、内部電源から供給されているかを検知する手段を設け、該検知手段によって検知された状態によって切り替えられることを特徴とするＸ線検査装置。
【請求項３】
請求項１記載の切り替え手段は内部電源から供給される電力によって駆動されるＸ線検査装置において、内部電源の残り容量を検知する手段および、切り替えを行う残り容量を設定する手段を設け、内部電源の残り容量が、あらかじめ設定した容量よりも少なくなった場合に切り替えられることを特徴とするＸ線検査装置。
【請求項４】
請求項１記載の切り替え手段は内部電源から供給される電力によって駆動されるＸ線検査装置において、切り替えを行う枚数を設定する手段を設け、撮影枚数が、あらかじめ設定した数よりも多くなった場合に切り替えられることを特徴とするＸ線検査装置。
【発明の詳細な説明】
【０００１】
【発明の属する技術分野】
本発明は、重傷等で歩行困難な患者をＸ線撮影するためにベッドサイドまで移動させて使用するＸ線検査装置に関し、詳細にはＸ線検査装置の画像記録媒体としてフラットパネルＸ線検出器を用いたＸ線検査装置の画像記録方法および記録画像の表示方法に関する。
【０００２】
【従来の技術】
従来、Ｘ線装置の画像記録媒体としてフィルムカセッテに替わってフラットパネルＸ線検出器を用いたＸ線検査装置として、特開平１１−９９１４４号、特開平１１−２７６４６５号公報が開示されている。これらにおいては、Ｘ線装置の画像記録媒体としてフラットパネルＸ線検出器を用いたＸ線検査装置の構成、および、取得画像の表示方法が記載されている。
【０００３】
ところで、Ｘ線検査装置の電源供給の方法としては外部から電源を供給する方法、装置内部にバッテリを具備し、該内部バッテリから供給する方法があり、内部バッテリから供給する場合においては、外部から供給された電源によって内部のバッテリを充電し、病室など外部からの電源が供給できない場所においては内部バッテリから供給する電力によって装置を駆動する。
【０００４】
【発明が解決しようとする課題】
上記従来例記載のＸ線検査装置においてはＸ線検査装置の画像記録媒体としてフラットパネルＸ線検出器を用いることにより、フィルムカセッテを複数用意する必要がなく、また撮影枚数を気にすることなく撮影ができるメリットがある。
【０００５】
また、Ｘ線検査装置の画像記録媒体としてフラットパネルＸ線検出器を用いることにより撮影後すぐに撮影した画像を見ることができ、正しく撮影ができたかを確認できるというメリットがある。
【０００６】
しかしながら、内部バッテリから供給される電力によってＸ線検査装置を駆動する場合には、バッテリの容量によって、撮影可能なＸ線画像の枚数が決定され、より多くのＸ線画像を撮影するためにはバッテリ容量を多くする必要があり、その場合にはバッテリの重量、サイズが増大し、持ち運びに多大の労力を要するという問題がある。
【０００７】
また、撮影後に画像をモニタなどに出力してみるために、フラットパネルＸ線検出器の性能補正のための画像補正とともに画像を診断に供するための画像処理が行われるが、診断に供するための画像処理を行うことによって、撮影直後に診断を行えるメリットはあるが、撮影直後に診断を行わない場合でも画像処理を行うための処理時間が必要で、撮影間隔に余裕がある場合は問題とならないが、短時間で多くの画像を撮影する必要がある場合には１枚の画像を撮影したあとに次の撮影を行うまでに時間が必要となり、撮影効率が低下するという問題がある。
【０００８】
そこで、この発明は、外部電力、あるいは内部バッテリから供給される電力によって駆動されるＸ線検査装置において、供給電力が外部からのものか、内部バッテリによるものかを検知し、駆動時の処理を変更することによってバッテリの重量、サイズを増大させることなくＸ線画像の撮影枚数を向上させることを目的とする。
【０００９】
また、この発明は、撮影直後に診断を行わない場合において撮影後の処理を簡略化し、撮影効率を向上させることを目的とする。
【００１０】
【課題を解決するための手段】
上記目的を達成するために本発明の請求項１に係るＸ線検査装置においては画像記録媒体としてフラットパネルＸ線検出器を用いたＸ線検査装置において、画像撮影時に画像補正処理とともに撮影画像を診断に供するための画像処理を行った画像を保存媒体に保存する手段と、画像補正処理のみを行った画像を保存媒体に保存する手段との切り替え手段を設け、該切り替え手段によって切り替えられた保存手段によって画像を保存する事を特徴とする。
【００１１】
また本発明の請求項２に係るＸ線検査装置においては、請求項１記載の切り替え手段は外部電源から供給される電力、および内部電源から供給される電力によって駆動されるＸ線検査装置において、装置を駆動するための電力が外部電源から供給されているか、内部電源から供給されているかを検知する手段を設け、該検知手段によって検知された状態によって切り替えられることを特徴とする。
【００１２】
また本発明の請求項３に係るＸ線検査装置においては、請求項１記載の切り替え手段は内部電源から供給される電力によって駆動されるＸ線検査装置において、内部電源の残り容量が、あらかじめ設定した容量よりも少なくなった場合に切り替えられることを特徴とする。
【００１３】
また本発明の請求項４に係るＸ線検査装置においては、請求項１記載の切り替え手段は内部電源から供給される電力によって駆動されるＸ線検査装置において、撮影枚数が、あらかじめ設定した数よりも多くなった場合に切り替えられることを特徴とする。
【００１４】
【発明の実施の形態】
以下、図面を参照して本発明の実施例を説明する。
【００１５】
〔実施例１〕
図１は本発明を実施するＸ線検査装置の概略構成を示す模式図であり、フラットパネルＸ線検出器１は有線あるいは無線通信路を介してコントロールＰＣ２に接続されている。コントロールＰＣ２には撮影したＸ線透過画像をモニタするためのモニタ５およびＸ線透過画像の撮影条件などの情報を入力するためのキーボード６と、不図示の外部装置から保存された画像を取り出すためのネットワークソケット８が接続されている。９はＸ線検査装置の駆動電力を外部から供給するためのＡＣソケットであり、ＡＣソケット９は充電回路３を介してバッテリ４、コントロールＰＣ２および管球７を駆動するための図示しない管球駆動装置に接続されている。
【００１６】
フラットパネルＸ線検出器１は、全体としては２次元の平面状の形をしており、図３に示すように、Ｘ線検出部２０とコントロール・ユニット２１とからなり、Ｘ線検出部２０は被検体を透過したＸ線を電荷に変換するＸ線検出物質層２２と、この電荷を読み出し電気信号に変換するＴＦＴトランジスタ２４とで構成されており、２２および２４はガラス基板２５上に形成される。
【００１７】
また、コントロール・ユニット２１は、Ｘ線検出物質層２３により変換された電荷をＴＦＴトランジスタ２４により読み出すタイミングの制御や読み出した電気信号からＸ線画像情報を構成し、補正情報を元に画像の補正処理を行う制御回路２６、制御回路からの制御によってＴＦＴトランジスタ２４で変換された電気信号を増幅するアンプ２７、制御回路で処理されたＸ線画像情報を格納するメモリ２８、制御回路が画像補正に使用する補正情報を格納した補正情報格納メモリ２９とで構成され、このコントロール・ユニット２１とＸ線検出部２０とは保護ケースに収容されている。
【００１８】
このフラットパネルＸ線検出器１には、直接変換方式と間接変換方式とがあり、直接変換方式のＸ線検出器ではＸ線検出物質層が図４（ａ）に示すように光導電体膜（例えばアモルファス・セレン膜、Ｃｄ（Ｚｎ）Ｔｅ膜）とされ、入射Ｘ線はアモルファス・セレン膜でそのエネルギーを放出し、電子と正孔のペアーに変換され、電荷は外部印加電圧により移動し、ＴＦＴの電荷収集電極を通してコンデンサに蓄積され、ＴＦＴの読み出し回路により読み出され、コントロール・ユニット２１を通してコントロールＰＣ２にＸ線透過画像が送られる。
【００１９】
また、間接方式のＸ線検出器では、図５（ａ）に示すようにＸ線検出物質層がヨウ化セシウム（ＣｓＩ）あるいはＧＯＳ（Ｇｄ２Ｏ２Ｓ）層とされ、入射Ｘ線はＸ線検出物質層でそのエネルギーを放出し、蛍光に変換され、発光はＴＦＴ上のフォトダイオードに導びかれ、フォトダイオードで光から電荷への変換がなされ、電荷はコンデンサに蓄積され、ＴＦＴの読み出し回路により読み出され、コントロール・ユニット２１を通してコントロールＰＣ２にＸ線透過画像が送られる。
【００２０】
図１に戻って図中３に示す充電回路の構成を図２に示す。充電回路３は外部からの電源ノイズを低減するためのノイズフィルター１１、外部からの供給電圧を監視する電圧検知器１３、バッテリを充電するための充電器１４、バッテリからの電圧を外部電源と同等とするための昇圧回路１５、直流交流変換のためのインバータ１６から構成されており、充電器１４と昇圧回路１５にバッテリ４が接続されている。電圧検知器１３はコントロールＰＣ２に接続され、コントロールＰＣ２から外部電源の供給が行われているかを検知することができる。
【００２１】
次に、本実施例におけるＸ線検査装置のＸ線画像撮影時の動作について図６のフローチャート図を用い説明する。
【００２２】
まずＸ線検査装置を撮影対象である患者が仰臥するベッドまで移動させて横付けし、患者とベッドとの間にフラットパネルＸ線検出器１を装填、位置決めした後、Ｘ線管球７からＸ線を照射することによってＸ線照射Ｓ１０１を行う。このとき、Ｘ線の照射条件、患者の情報などを図１中に示すキーボード６から入力することもできる。
【００２３】
次にコントロール・ユニットでＸ線透過画像を取得Ｓ１０２する。画像の取得は被検体を透過した透過Ｘ線をフラットパネルＸ線検出器１のＸ線検出物質層２２により電荷に変換し、ＴＦＴトランジスタ２４にて電気信号への変換を行った情報をアンプ２７を介して制御回路２６のメモリ２８に格納することで行う。
【００２４】
続いて制御回路２６においてＳ１０２で取得した画像と、補正情報格納メモリ２９に格納された補正情報を元に画像補正処理Ｓ１０３を行う。画像補正処理では、フラットパネルＸ線検出器上の感度分布のばらつきや、フラットパネルＸ線検出器を構成する個々のＴＦＴの欠陥による画像不良の補正を行う。
【００２５】
画像補正を行った画像はＳ１０４で、有線あるいは無線通信路を介してコントロールＰＣ２に転送される。
【００２６】
コントロールＰＣ２では画像を受け取った後、図２に示す電圧検知器１３からの信号によって、現在外部から電力の供給があるかを判断しＳ１０５、電力供給がある場合には画像処理を行って診断画像を作成Ｓ１０６し、作成した画像をＳ１０１でキーボードから入力したＸ線照射条件、患者情報とともに画像処理を実施したことを示す情報を付加して保存Ｓ１０７する。Ｓ１０５の判断で、電力供給がない場合には画像処理を行うことなくＳ１０７においてＳ１０１でキーボードから入力したＸ線照射条件、患者情報とともに画像処理を実施しないことを示す情報を付加して画像を保存する。
【００２７】
Ｓ１０６での画像処理は例えば画像全体のコントラスト、鮮鋭度を変化させ、診断時に読影に適した画像を作成する。
【００２８】
画像保存後、Ｓ１０７で保存した画像をモニタ５に表示し、処理を終了する。
【００２９】
以上説明した構成によれば、Ｘ線検査装置の駆動電力が外部から供給されている場合には画像補正とともに画像処理を行うが、Ｘ線検査装置の駆動電力が内部のバッテリから供給されている場合には画像補正のみを行うため、画像処理に必要な電力が低減できることにより、バッテリの重量、サイズを増大させることなくＸ線画像の撮影枚数を向上させることができる。
【００３０】
〔実施例２〕
上記実施例１においては、外部からの電力が供給されている場合には、画像補正とともに画像処理を行い、画像処理を行った画像を保存媒体に保存する構成としていたが、複数の診断医が画像の診断を行う場合に、診断医によって必要な画像処理が異なる場合がる。例えば診断医Ａはモニタによる診断に適した画像を所望し、診断医Ｂはプリンタ出力画像の診断に適した画像を所望するなどが考えられる。
【００３１】
このため、外部からの電力が供給されている場合には、画像補正とともに画像処理を行い、画像補正のみを行った画像と、画像補正とともに画像処理を行った画像を保存媒体に保存するよう構成することも可能である。
【００３２】
このような構成により、診断医Ａの所望する画像処理を行った画像を保存するとともに診断医Ｂに対しては、保存されている画像補正のみを行った画像から新たに診断医Ｂが所望する画像処理を行った画像を供することができ、複数の診断医に対して必要な画像を画像を供することができる。
【００３３】
〔実施例３〕
上記実施例１においては、撮影画像に対して画像補正のみを行うか、画像補正とともに画像処理を行うかの判断として、外部からの電力供給がなされているか、内部バッテリからの電力供給がなされているかによって判断している。
【００３４】
画像補正を行った画像のみを保存した場合には診断時に画像処理を行う必要があり、診断時、画像処理のための時間が必要となるが、これは、撮影枚数があらかじめ決まっており、かつ各画像に画像処理を行った場合でも画像撮影後、次の画像を撮影するまでの時間、内部バッテリの容量に余裕があると判断される場合には診断までの時間がかかるという問題がある。
【００３５】
このため、内部バッテリの残り容量、あるいは撮影を行った枚数によって画像補正を行った画像のみを保存するか、画像補正とともに画像処理を行った画像を保存するかの判断を行うよう構成することも可能である。
【００３６】
内部バッテリの残り容量、あるいは撮影枚数によって処理を切り替える構成について図７、図８を用いて説明する。
【００３７】
図７は本実施例において図１中のキーボード６から不図示の設定ボタンを押し、保存切り替え設定画面を開いた場合のモニタ５への表示例を示している。画面上で残り容量、あるいは撮影枚数を設定することによって、設定したバッテリ残り容量よりもバッテリの容量が少なくなった場合、あるいは撮影枚数が設定した枚数を超えた場合に画像処理を行わず画像補正のみを行った画像を保存する。
【００３８】
図８は本実施例を実施する図１中の充電回路３の構成を示す図であり、電圧検知器をバッテリ４、昇圧回路１５とインバータ１６の間に接続している。
このように構成することによって、バッテリ４からの電圧を検知して、残り容量を検知できるようになる。
【００３９】
このような構成により、あらかじめ設定を行った内部バッテリの残り容量、あるいは撮影枚数までは画像補正とともに画像処理を行った画像を保存できるようになり、診断時の処理時間を短縮でき、効率を向上させることができる。
【００４０】
【発明の効果】
以上説明したように本発明のＸ線検査装置によれば、外部電力、あるいは内部バッテリから供給される電力によって駆動されるＸ線検査装置において、バッテリの重量、サイズを増大させることなくＸ線画像の撮影枚数を向上させることができる。さらに撮影直後に診断を行わない場合において撮影後の処理を簡略化できるため、撮影効率を向上させることができる。
【００４１】
また、外部から駆動電力を供給されている場合、あるいは撮影間隔や、撮影枚数に対するバッテリ容量に余裕がある場合には診断時に画像処理を行わないため、診断効率を向上させることができる。
【図面の簡単な説明】
【図１】実施例１に係るＸ線検査装置の概略構成を示す模式図である。
【図２】実施例１に係る電力の供給元を検知可能な充電回路の概略構成を示す模式図である。
【図３】フラットパネルＸ線検出器の概略構成を示す模式図である。
【図４】直接変換方式のフラットパネルＸ線検知器のＸ線検出部（ａ）と電荷読み出し部（ｂ）の概略構成を示す模式図である。
【図５】間接変換方式のフラットパネルＸ線検知器のＸ線検出部（ａ）と電荷読み出し部（ｂ）の概略構成を示す模式図である。
【図６】実施例１に係るＸ線撮影処理のフローチャート図である。
【図７】実施例３に係る画像保存方法切り替えのための設定画面例である。
【図８】実施例３に係るバッテリの残り容量が検知可能な充電回路の概略構成を示す模式図である。
【符号の説明】
１  フラットパネルＸ線検出器
２  コントロールＰＣ
３  充電回路
４  バッテリ
１３  電圧検知器
【図１】
2004173906.tif 000003
【図２】
2004173906.tif 000004
【図３】
2004173906.tif 000005
【図４】
2004173906.tif 000006
【図５】
2004173906.tif 000007
【図６】
2004173906.tif 000008
【図７】
2004173906.tif 000009
【図８】
2004173906.tif 000010